(57)【要約】【課題】  ソフトのインストール時の前提条件調査用情報の収集の容易化。【解決手段】  コンピュータがインストールするソフトウェアの前提条件を満たしているか否かを調査する前提条件調査用情報収集支援システムであって、インストールするソフトウェアに要求される前提条件を格納した前提条件ＤＢ１３と、前提条件チェック部１１２とを設け、ソフトウェアのインストール対象の複数サーバ３０の前提条件を収集し、この収集した全体条件と前提条件ＤＢ１３に格納した前提条件とを比較し、各サーバがソフトウェアが要求する前提条件を満たしているか否かを前提条件チェック部１１２が判定するもの。また前提条件の調査方法と前提条件変更方法を格納するガイダンスＤＢ１４を設け、前記前提条件を満たしていないと判定したとき、前記ガイダンスＤＢ１４から調査方法及び変更方法とを呼び出してオペレータに通知するもの。【選択図】  図１
2006350896.tif 000002
【特許請求の範囲】
【請求項１】
コンピュータがインストールするソフトウェアの前提条件を満たしているか否かを調査する前提条件調査用情報収集支援システムであって、インストールするソフトウェアに要求される前提条件を格納した前提条件データベースと、ソフトウェアのインストール対象のコンピュータの前提条件を収集する前提条件収集手段と、前提条件データベースに格納した前提条件と前提条件収集手段により収集したコンピュータの前提条件とを比較し、コンピュータがソフトウェアが要求する前提条件を満たしているか否かを判定する判定手段とを備えることを特徴とする前提条件調査用情報収集支援システム。
【請求項２】
前記ソフトウェアの前提条件を調査する調査方法と前記前提条件を変更する変更方法を格納するガイダンスデータベースを設け、前記判定手段がコンピュータがソフトウェアが要求する前提条件を満たしていないと判定したとき、前記ガイダンスデータベースから前記調査方法及び変更方法とを呼び出してオペレータに通知することを特徴とする請求項１記載の前提条件調査用情報収集支援システム。
【請求項３】
インストールするソフトウェアに要求される前提条件を格納した前提条件データベースを備え、前記コンピュータがインストールするソフトウェアの前提条件を満たしているか否かを調査する前提条件調査用情報収集支援システムの前提条件調査用情報収集支援プログラムであって、
前記前提条件調査用情報収集支援システムに、
ソフトウェアのインストール対象のコンピュータの前提条件を収集する前提条件収集機能と、前提条件データベースに格納した前提条件と前記収集したコンピュータの前提条件とを比較し、コンピュータがソフトウェアが要求する前提条件を満たしているか否かを判定する判定機能とを実行させることを特徴とする前提条件調査用情報収集支援プログラム。
【請求項４】
前記前提条件調査用情報収集支援システムにソフトウェアの前提条件を調査する調査方法と前記前提条件を変更する変更方法を格納するガイダンスデータベースを設け、前記判定機能が、コンピュータがソフトウェアが要求する前提条件を満たしていないと判定したとき、前記ガイダンスデータベースから前記調査方法及び変更方法とを呼び出してオペレータに通知する機能を実行することを特徴とする請求項３記載の前提条件調査用情報収集支援プログラム。
【発明の詳細な説明】
【技術分野】
【０００１】
本発明は、キャラクタユーザインターフェース（ＣＵＩ）による操作を基本とするオペレーティングシステム（ＯＳ）を搭載したコンピュータシステムのソフトウェアインストール時に発生する前提条件調査用の情報を収集することができる前提条件調査用情報収集支援システム及び同情報収集支援プログラムに係り、特にソフトウェアをインストールする際に必要とされる前提条件を調査するために行う各種設定情報の早期収集を支援することができる前提条件調査用情報収集支援システム及び同情報収集支援プログラムに関するものである。
【背景技術】
【０００２】
一般にソフトウェアは、その動作を行うために必要なメモリ容量等のハード構成及びミドルウェア／ドライバソフト等のプログラム構成が決められており、コンピュータシステムにソフトウェアをインストール際には事前に当該コンピュータシステムのハード構成及びプログラム構成等の前提条件の調査を行う必要があり、一般には人手により前記事前調査が行われている。尚。本明細書で述べる前提条件とは、例えばソフトウェアの動作を保証するためにコンピュータに要求される仕様であり、例えばＣＰＵ種／ＣＰＵクロック周波数／メモリ種／メモリ容量等のハードウェア構成と、ＯＳ種／ＯＳのバージョン／ミドルウェア／各種ドライバソフト／ＤＬＬ（データ）等のプログラム構成を示すものとする。
【０００３】
この事前調査に関する技術が記載された文献としては、下記特許文献が挙げられ、この特許文献には、ソフトウェア／ファイルに関する構成情報等を出力装置を介して運転員に提示するソフトウェア情報管理システムが記載されている。
【特許文献１】特許公開平１０−３０１８１１号公報
【発明の開示】
【発明が解決しようとする課題】
【０００４】
前記ソフトウェアをインストールする際に満たすべき前提条件は、調査すべき項目が多数にわたることも多く、また、昨今のクラスタリングシステムに代表されるように複数台のコンピュータについて同一の前提条件を満たすことを求められる場合も多く、これら複雑多岐な事前調査を人手で行う場合は、繁雑であると共に、前提条件のチェック漏れや記録の煩雑さによる作業時間増大や記録の不正確さがあると言う不具合があった。
【０００５】
また、事前調査の結果、前提条件を満たさなかった場合には、設定の変更等が必要になり、この際に変更方法を都度調査する必要が生じ、作業時間がさらに増大すると言う不具合があった。特に設定変更後は、再度前提条件を満たしていることを確認する必要があるため、前提条件調査のための情報収集を複数回行うことが必要となり、過去の調査結果を整理する作業時間もかかり、人為的ミスによりこの記録が正確に残されないおそれもあると言う不具合もあった。
【０００６】
本発明は、前記従来技術による不具合を解決することであり、前提条件調査用の情報を容易に収集することができる前提条件調査用情報収集支援システム及び同情報収集支援プログラムを提供することである。
【課題を解決するための手段】
【０００７】
前記目的を達成するために本発明は、コンピュータがインストールするソフトウェアの前提条件を満たしているか否かを調査する前提条件調査用情報収集支援システムであって、インストールするソフトウェアに要求される前提条件を格納した前提条件データベースと、ソフトウェアのインストール対象のコンピュータの前提条件を収集する前提条件収集手段と、前提条件データベースに格納した前提条件と前提条件収集手段により収集したコンピュータの前提条件とを比較し、コンピュータがソフトウェアが要求する前提条件を満たしているか否かを判定する判定手段とを備えることを第１の特徴とし、この前提条件調査用情報収集支援システムにおいて、前記ソフトウェアの前提条件を調査する調査方法と前記前提条件を変更する変更方法を格納するガイダンスデータベースを設け、前記判定手段がコンピュータがソフトウェアが要求する前提条件を満たしていないと判定したとき、前記ガイダンスデータベースから前記調査方法及び変更方法とを呼び出してオペレータに通知することを第２の特徴とする。
【０００８】
更に本発明は、インストールするソフトウェアに要求される前提条件を格納した前提条件データベースを備え、前記コンピュータがインストールするソフトウェアの前提条件を満たしているか否かを調査する前提条件調査用情報収集支援システムの前提条件調査用情報収集支援プログラムにおいて、前記前提条件調査用情報収集支援システムに、ソフトウェアのインストール対象のコンピュータの前提条件を収集する前提条件収集機能と、前提条件データベースに格納した前提条件と前記収集したコンピュータの前提条件とを比較し、コンピュータがソフトウェアが要求する前提条件を満たしているか否かを判定する判定機能とを実行させることを第３の特徴とし、この前提条件調査用情報収集支援プログラムにおいて、前記前提条件調査用情報収集支援システムにソフトウェアの前提条件を調査する調査方法と前記前提条件を変更する変更方法を格納するガイダンスデータベースを設け、前記判定機能が、コンピュータがソフトウェアが要求する前提条件を満たしていないと判定したとき、前記ガイダンスデータベースから前記調査方法及び変更方法とを呼び出してオペレータに通知する機能を実行することを第４の特徴とする。
【発明の効果】
【０００９】
本発明によれば、インストールするソフトウェアに要求される前提条件を格納した前提条件データベースを用いて事前調査を行うため、多数の調査項目が多数／対象となるコンピュータが複数台であっても、一括して調査でき、情報収集時間を短縮することができる。また本発明によれば、情報の収集もれや前提条件を満たすか否かの判断ミス、記録漏れ、過去の調査結果を整理する作業時間も減少でき、更に前提条件を満たさずに設定を変更する場合にも、変更方法や確認方法がガイダンスとして提供されるため、これらを改めて調査する作業時間を短縮することができる。
【発明を実施するための最良の形態】
【００１０】
以下、本発明による前提条件調査用情報収集支援システム及び同情報収集支援プログラムの一実施形態を図面を参照して詳細に説明する。図１は本実施形態による前提条件調査用情報収集支援システムの全体構成を示す図、図２は本実施形態による前提条件登録処理及び前提条件項目マスタ設定の新規登録処理を説明するための図、図３は本実施形態による前提条件チェック処理を説明するための図、図４は本実施形態による集約結果レポート出力処理を説明するための図、図５及び図６は本実施形態による前提条件調査用情報収集支援システムの事前に用意するテーブルを説明するための図、図７は本実施形態による前提条件調査用情報収集支援システムの各種画面を説明するための図、図８は、本実施形態による個別結果レポート及び集約結果レポートを示す図である。
<構成の説明>
【００１１】
本実施形態による前提条件調査用情報収集支援プログラムを実行するための同情報収集支援システムは、図１に示す如く、ソフトウェアをインストールする対象となるコンピュータである複数の調査対象サーバ３０とネットワーク４０を介して接続され、前提条件の調査を行う管理サーバ１０を含み、該管理サーバ１０は、インストールを行うソフトウェアに要求される前提条件の項目等を格納する前提条件項目マスタ１２と、同ソフトウェアに要求される前提条件の具体的条件値等を格納する前提条件データベース（ＤＢ）１３と、ソフトウェアをインストールする際の案内情報を格納するガイダンスデータベース（ＤＢ）１４と、前記前提条件の調査結果を格納する結果蓄積データベース（ＤＢ）１５と、本実施形態による特徴である前提条件チェックを行う前提条件チェックシステム１１とから構成される。
【００１２】
前提条件項目マスタ１２は、図３に示す如く、インストールを行うソフトウェアに要求される前提条件の項目カテゴリ（例えば、メモリ／スワップ／パッケージ管理ソフトウェアのバージョン等）と、該項目に条件項目（実メモリ／スワップ／コマンドバージョン）と、該条件項目毎のガイダンスＩＤ（例えば、Ｇ００１・・・）とを格納し、前記前提条件ＤＢ１３は、前記前提条件カテゴリ及び項目に対応した必要とされる前提条件値（例えば、メモリが５１２ＭＢ以上、コマンドバージョンが３．７９以上等）並びに前提条件調査方法詳細を格納し、前記ガイダンスＤＢ１４は、ガイダンスＩＤ毎の調査方法／変更方法／留意点等を格納している。
【００１３】
前記前提条件チェックシステム１１は、インストールされるソフトウェアに要求される前提条件を設定する条件設定部１１１と、該条件設定部１１１により設定した条件のチェックを行う前提条件チェック部１１２とから構成される。
【００１４】
前記条件設定部１１１は、前提条件項目マスタ１２から前提条件の項目等を入力して条件を設定する前提条件登録機能１１１１と、該前提条件登録機能１１１１により設定された前提条件を前提条件ＤＢ１３に新規に登録する前提条件項目マスタ新規登録機能１１１２とから構成される。各機能の詳細については後述する。
【００１５】
また前記前提条件チェックシステム１１の前提条件チェック部１１２は、調査対象サーバ３０の基本情報を収集する基本情報収集機能１１２１（前提条件収集手段に相当）と、該収集した基本情報と前提条件ＤＢ１３に格納した要求される前提条件とを用いて前提条件のチェックを行う前提条件チェック機能１１２２と、このチェック結果を格納するチェック結果蓄積機能１１２３と、インストールを行うソフトウェアに対応した調査対象サーバ３０個々の個別結果レポート１６を作成する個別結果レポート作成機能１１２４と、該チェック結果により調査対象サーバ３０が要求される前提条件を満足しない場合にオペレータにエラー通知を行うエラー通知機能１１２５と、前記チェック結果を用いて集約結果レポート１７を作成する集約結果レポート作成機能１１２６とから構成される。
【００１６】
前記個別結果レポート１６は、図８に示す如く、条件のセットＩＤ／対象サーバのＩＰアドレス／チェック開始日時に対応して、チェック項目／その条件値／調査結果値／判定／調査方法／更新方法が、例えば実メモリ／５１２ＭＢ以上／○（合格）／の如く出力され、集約結果レポート１７は、複数のサーバ調査対象サーバに対するチェック項目等が図示の如くまとめて出力されるものである。尚、前提条件チェックシステム１１は、前提条件設定部１１１をアプリケーションソフトウェア開発者が用い、前提条件チェック部１１２は、ユーザまたはユーザの委託を受けたインストール作業者が用いる。
<動作説明>
【００１７】
<前提条件登録機能１１１１>
さて、この様に構成された前提条件調査用情報収集支援システムは、前提条件の登録を前提条件登録機能１１１１が行うものであり、この前提条件登録処理は、まず、図２の左方に示す如く、図７に示す条件登録画面７１を表示（ステップ２０１）し、任意の条件セッＩＤを入力（ステップ２０２）する。この条件登録画面７１は、図７に示す如く、条件セッＩＤ入力欄と、項目条件／前提条件カテゴリ／前提条件項目／前提条件入力／前提条件調査方法の各項目から成り、前記項目条件／前提条件カテゴリはプルダウンメニュー（▼）により選択入力され、他の項目はオペレータにより手入力される。尚、前記条件セットＩＤとは、当該アプリケーションソフトウェアのインストールに際し満たすべき一連の前提条件の集まりである。
【００１８】
次いで本前提条件登録処理は、オペレータが希望のカテゴリが存在するか否かを判定し（ステップ２０３）、希望のカテゴリが存在しない場合は前提条件項目マスタ新規登録処理（ステップ２０４）を実行し、存在する場合は前提条件マスタから前提条件カテゴリをプルダウンメニューを用いて選択し（ステップ２０５）、次いでオペレータが希望する項目が存在するか否かを判定し（ステップ２０６）、希望の項目が存在しない場合は前提条件項目マスタ新規登録処理（ステップ２０７）を実行し、希望の項目が存在する場合は、前提条件値を入力し（ステップ２０８）、続いて調査方法の入力（ステップ２０９）を行う。
【００１９】
更に本前提条件登録処理は、前提条件指定が終了したか否かを判定し（ステップ２１０）、終了していないと判定したときには前記ステップ２０３に戻り、終了したと判定したときには登録ボタンの押下（ステップ２１１）により、前記入力した前提条件カテゴリ／前提条件項目／前提条件値／調査方法を前提条件データベース１３に登録（ステップ２１２）して処理を終了する。
【００２０】
この様に本実施形態による前提条件登録機能は、前提条件の項目カテゴリ等を前提条件項目マスタ１２に登録しておき、オペレータが該前提条件項目マスタ１２から前提条件の項目カテゴリ等を読み出し、プルダウンメニューからの選択又は条件値入力によってソフトウェアに必要とされる前提条件を作成するように動作するものである。
【００２１】
<前提条件項目マスタ新規登録機能１１１２>
前記ステップ２０４及び２０５による前提条件項目マスタ新規登録処理は、前提条件項目マスタ新規登録機能１１１２が、図２右方フローに示す如く、マスタ登録画面を表示（ステップ２０１）してカテゴリ登録か否かを判定し（ステップ２２３）、カテゴリ登録であると判定したときには図７に示した画面７２を用いてカテゴリ入力（ステップ２２５）及びガイダンスＩＤの選択（ステップ２２６）を行い、カテゴリ登録でないと判定したときには既存カテゴリからカテゴリ選択（ステップ２２４）を実行する。
【００２２】
前記ステップ２２５又はステップ２２４に続いて本処理は、項目の入力を行い（ステップ２２６）、次いで前提条件マスタへ前記入力したカテゴリ／項目／ガイダンスＩＤを書き込んで（ステップ２２７）処理を終了する。前記登録した前提条件のセットは再利用することができ、別のアプリケーションプログラム開発時に既存の前提条件のセットの一部を変更しすることにより、前提条件の登録にかかる時間を短縮することができる。
この様に本実施形態による前提条件項目マスタ新規登録機能は、前提条件登録機能により作成した前記前提条件を前提条件ＤＢ１３に登録する。
【００２３】
<前提条件チェック部１１２>
次に本前提条件調査用情報収集支援システムは、条件設定部１１１により前提条件ＤＢ１３に格納した前提条件セットを使用し、実際の前提条件調査を行うものであり、この処理手順を次に説明する。尚、この処理プロセスは、条件設定部１１１とは異なり、アプリケーションソフトウェアの利用者側が行うものである。
【００２４】
この処理手順は、図３に示す如く、前提条件チェック実行指示画面を表示し（ステップ２３１）、利用者が内容を確認してチェック内容が正しいか否かを判定し（ステップ２３３）、正しくないときには前記ステップ２３２に戻り、正しいと判定したときには前提条件を調査する対象となる調査対象サーバ３０のＩＰアドレスを入力（ステップ２３４）する。このＩＰアドレスの入力は、同一内容の前提条件調査を行うべき調査対象サーバ３０が複数存在する場合、続けてそのＩＰアドレスを複数入力する。
【００２５】
次に本処理手順は、利用者により実行ボタンが押下（ステップ２３５）したことを判定し、第一段階として前提条件調査における基本的な情報を、基本情報収集機能１１２１が前提条件ＤＢ１３から選択された条件セットＩＤに対応する前提条件カテゴリ／前提条件項目／前提条件値／前提条件調査方法を収集して一覧で図７の画面７３の如く取得し、最初に入力されたＩＰアドレスの個数を変数ｎおよびｍに退避し（ステップ２３６）、当該条件セットＩＤによる前提条件チェックが実行開始された日時としてマシン日付および時刻を取得し（ステップ２３６）、調査ＩＤ／条件セットＩＤ／ＩＰアドレスを基本情報テーブル１５１に書き込み（ステップ２３７）、マシン日時／時刻をチェック開示日時時刻として基本情報テーブル１５１に書き込み（ステップ２３８）、変数ｎ（ＩＰアドレスの数）をセットして変数ｎの分だけ繰返して実行する（ステップ２３９→２４０→２３７）。
【００２６】
更に本処理手順は、前記基本情報テーブル１５１に記載したＩＰアドレスのマシンにリモートログインし（ステップ２４１）、マシン名称／カーネルバージョンを取得し、結果蓄積ＤＢ１５内の基本情報テーブル１５１へ書込み（ステップ２４２）、前記前提条件ＤＢ１３内の同一条件セットＩＤに属する項目が存在する間、条件チェック機能１１２２が前提条件ＤＢ１３の調査方法詳細により前提条件調査を行い（ステップ２４３）、このチェック結果を結果蓄積ＤＢ１５内のチェック結果蓄積テーブル１５２へ書込み（ステップ２４４）、このチェック結果が前提条件ＤＢ１３内の前提条件値と一致するかを判定し（ステップ２４５）、条件を満たしていないと判定したときにはそれを結果蓄積テーブル１５２の判定に「×」を書き込み（ステップ２４７）、条件を満たしていると判定したときには前記判定に「○」を書き込む（ステップ２４６）。
【００２７】
次いで本処理手順は、前提条件ＤＢ１３に同一条件セットＩＤのチェック条件が存在するか否かを判定し（ステップ２４８）、存在するときには前記ステップ２４１に戻り、存在しないときには、基本情報テーブル１５１から条件セットＩＤ／対象サーバＩＰアドレス／チェック開始日／チェック開始時刻を取得すると共に、前提条件ＤＢ１３から前提条件項目／前提条件値を取得し、チェック結果蓄積テーブル１５２から調査結果値、判定結果を取得する（ステップ２４９）。このステップ２４９においては、前記判定が×の場合のみ、前提条件ＤＢ１３の条件セットＩＤと項目番号から、前提条件カテゴリを取得し、前提条件項目マスタ１２からその他前提条件カテゴリに対応するガイダンスＩＤを取得し、さらにガイダンスＤＢ１４からそのガイダンスＩＤに対応する調査方法および変更方法を取得する。本処理手順は、前記ステップ２４１〜２４９による前提条件調査を変数ｍ（ＩＰアドレスの数）の分だけ繰返して実行される（ステップ２５０〜２５１）。
【００２８】
この様に本実施形態による前提条件チェック部は、調査対象となるサーバをＩＰアドレスにより指定し、且つ調査を行う前提条件を条件ＩＤを用いて指定し、これらＩＰアドレスを用いて調査対象サーバを特定し、条件ＩＤを用いて要求される前提条件を特定し、これら特定したサーバが要求される前提条件を満たすか否かを判定することによって、対象となる複数サーバ個々に対して個々の前提条件を満たすか否かを自動的に判定することができる。
【００２９】
<レポート作成機能１１２４／１１２６>
本実施形態による処理手順は、次に個別結果レポート作成機能１１２４を用いて前記調査結果情報をフォーマットの上、個別結果レポート１６を作成して出力すると共に、集約結果レポート作成機能１１２６を用いて前記前提条件調査の結果を複数サーバ分集約し、集約結果レポート１７を出力する。
【００３０】
この集約結果レポート作成機能１１２６は、図４に示す如く、レポート指定画面を表示し（ステップ４０１）、指定された条件セットＩＤから前提条件ＤＢ１３から該当する前提条件項目と前提条件内容を取得し（ステップ４０２）、更に指定された条件セットＩＤと実行日時を用いて基本情報テーブル１５１から該当する調査ＩＤを取得し（ステップ４０３）、該取得した調査ＩＤの内の最大値を変数ｎに入力する（ステップ４０４）。
【００３１】
次いで本処理手順は、前記調査ＩＤを基にチェック結果蓄積テーブル１５２を参照して調査結果と判定を得（ステップ４０５）、この調査結果が「×」であるか否かを判定し（ステップ４０６）、「×」でないときに後述するステップ４１０に移動し、「×」であるときには、条件セットＩＤ／項目番号を基に前提条件ＤＢ１３から前提条件カテゴリを得（ステップ４０７）、次いで該前提条件カテゴリをキーとして前提条件マスタからガイダンスＩＤを得（ステップ４０８）、該ガイダンスＩＤを基にガイダンスＤＢ１４を検索して調査方法及び変更方法とを得（ステップ４０９）、前記変数ｎから「１」を減算し（ステップ４１０）、該変数ｎが「０」か否かを判定（ステップ４１１）して、前記ステップ４０５〜４０９を変数ｎが「０」に成るまで繰り返して実行し、該ステップ４１１によりｎが「０」と判定したとき、前記取得した情報をフォーマットして出力する（ステップ４１２）ことにより行われる。
この様に本実施形態によれば、前提条件チェック部１１２が調査を行った複数サーバ３０に対する前提条件を満たすか否かの結果を個別又はリストとして出力することができる。
【００３２】
この様に本実施形態による前提条件調査用情報収集支援システムは、前提条件チェック一式としてデータベースに格納する手段と、ソフトウェアのインストールを行うユーザ側に対しては、前提条件の複数調査項目について、複数の調査対象コンピュータの情報収集を一括して自動的に行う手段と、収集した情報を蓄積し事後に正確な情報を参照できる手段と、個別または複数台コンピュータ分の情報をまとめてレポートする手段と、前提条件を満たさない場合に設定を変更するためのガイダンスを提供する手段から前提条件調査用情報収集支援方式を構成することによって、ソフトウェアをインストールする際の満たすべき前提条件の確認作業を行う場合、多数の調査項目があっても対象となるコンピュータが複数台であっても一括して調査することができ、情報収集時間を短縮することができる。
【００３３】
前記実施形態による前提条件調査用情報収集支援システムは、ブログラムとして表すこともでき、このプログラムは、インストールするソフトウェアに要求される前提条件を格納した前提条件データベースを備え、前記コンピュータがインストールするソフトウェアの前提条件を満たしているか否かを調査する前提条件調査用情報収集支援システムの前提条件調査用情報収集支援プログラムであって、前記前提条件調査用情報収集支援システムに、ソフトウェアのインストール対象のコンピュータの前提条件を収集する前提条件収集機能と、前提条件データベースに格納した前提条件と前記収集したコンピュータの前提条件とを比較し、コンピュータがソフトウェアが要求する前提条件を満たしているか否かを判定する判定機能と、前記前提条件調査用情報収集支援システムにソフトウェアの前提条件を調査する調査方法と前記前提条件を変更する変更方法を格納するガイダンスデータベースを設け、前記判定機能が、コンピュータがソフトウェアが要求する前提条件を満たしていないと判定したとき、前記ガイダンスデータベースから前記調査方法及び変更方法とを呼び出してオペレータに通知する機能と表すことができる。
【００３４】
このため本発明によれば、情報の収集もれや前提条件を満たすか否かの判断ミス、記録漏れ、過去の調査結果を整理する作業時間も減少でき、更に前提条件を満たさずに設定を変更する場合にも、変更方法や確認方法がガイダンスとして提供されるため、これらを改めて調査する作業時間の削減ができる。また本実施形態によれば、インストールが正常に行われず、前提条件を再度確認する必要が生じた場合にも、チェックの再実行は速やかに行うことが可能になり開発者またはサポート者に対して前提条件調査結果を提示する必要が生じた場合にも結果レポートを記録ミスなく即時提供することができる。この結果、該当ソフトウェアを他社に販売する場合など、前提条件調査が容易になりインストレーションに関するトラブルとその対応作業を軽減することができる。
【図面の簡単な説明】
【００３５】
【図１】本発明による前提条件調査用情報収集支援システムの全体構成を示す図。
【図２】本例による前提条件登録処理及び前提条件項目マスタ設定の新規登録処理を示す図。
【図３】本実施形態による前提条件チェック処理を示す図。
【図４】本実施形態による集約結果レポート出力処理を示す図。
【図５】本情報収集支援システムの事前に用意するテーブルを示す図。
【図６】本調査用情報収集支援システムの事前に用意するテーブルを示す図。
【図７】本前提条件調査用情報収集支援システムの各種画面を示す図。
【図８】本実施形態による個別結果レポート及び集約結果レポートを示す図。
【符号の説明】
【００３６】
１０：管理サーバ、１１：前提条件チェックシステム、１２：前提条件項目マスタ、１３：前提条件データベース、１６：個別結果レポート、１７：集約結果レポート、３０：調査対象サーバ、４０：ネットワーク、７１：条件登録画面、７２：画面、７３：画面、１１１：前提条件設定部、１１２：前提条件チェック部、１５１：基本情報テーブル、１５２：チェック結果蓄積テーブル、１１１１：前提条件登録機能、１１１２：前提条件項目マスタ新規登録機能、１１２１：基本情報収集機能、１１２２：前提条件チェック機能、１１２３：チェック結果蓄積機能、１１２４：個別結果レポート作成機能、１１２５：エラー通知機能、１１２６：集約結果レポート作成機能。
【図１】
2006350896.tif 000003
【図２】
2006350896.tif 000004
【図３】
2006350896.tif 000005
【図４】
2006350896.tif 000006
【図５】
2006350896.tif 000007
【図６】
2006350896.tif 000008
【図７】
2006350896.tif 000009
【図８】
2006350896.tif 000010